(57)【要約】  本発明は、沈められるように、および、浮遊構造体を繋ぎ留めるように意図されている係留装置のためのモジュールに関し、モジュール(24)は、  -  中空の円筒形の筒体(26)と、  -  筒体の両端をそれぞれ封止することができる2つの封止要素(28、30)と  を備え、  筒体および封止要素は、あらかじめ製作されたコンクリートから作られ、モジュールは、係留装置を形成するために、係留装置の少なくとも1つの他のモジュールに機械的に固定されるように意図される。
2020526444.tif 000002
【特許請求の範囲】
【請求項１】
浮遊構造体(10)を繋ぎ留めるために沈めることが可能な係留装置であって、
前記係留装置は、互いと機械的に固定されるいくつかのモジュール(24)を備え、各々のモジュール(24)は、
中空の円筒形の筒体(26)と、
前記筒体の両端をそれぞれ封止することができる2つの封止要素(28、30)と
を備え、
前記筒体および前記封止要素は、あらかじめ製作されたコンクリートから作られることを特徴とする、係留装置。
【請求項２】
各々のモジュールは、前記筒体(26)の壁に延び、前記封止要素の一方および他方にそれぞれ繋ぎ留められる端を有する少なくとも1つのプレストレス要素(36)をさらに備える、請求項1に記載の係留装置。
【請求項３】
各々のモジュールの少なくとも1つの封止要素は、前記係留装置の形成のために別のモジュールに留め付けられるように意図される少なくとも1つの境界面領域を有する、請求項1または2に記載の係留装置。
【請求項４】
各々のモジュールの少なくとも1つの封止要素が多角形の輪郭(C)を有する、請求項1から3のいずれか一項に記載の係留装置。
【請求項５】
各々のモジュールの少なくとも1つの封止要素が多角形の輪郭(C)を有し、前記境界面領域は、前記少なくとも1つの封止要素の前記多角形の輪郭の縁(T)のうちの1つに対応する、請求項3に記載の係留装置。
【請求項６】
前記筒体(26)は複数の重ねられた筒体分割部(38)を備える、請求項1から5のいずれか一項に記載の係留装置。
【請求項７】
モジュールの各々の封止要素は、前記封止要素の平面と実質的に平行な前記封止要素の厚さに配置される少なくとも1つのプレストレス要素(48)を受け入れる、請求項1から6のいずれか一項に記載の係留装置。
【請求項８】
前記筒体(26)への水の制御された充填に適するバラスト装置(50)を備える、請求項1から7のいずれか一項に記載の係留装置。
【請求項９】
各々のモジュールは、前記筒体(26)によって画定される内部容積(32)内で支配的な圧力を、前記内部容積(32)への気体の注入によって調節するのに適する加圧装置(53)を備える、請求項1から8のいずれか一項に記載の係留装置。
【請求項１０】
各々のモジュールの前記封止要素は、平面状の板の概してスラブの構成の形態を有する、請求項1から9のいずれか一項に記載の係留装置。
【請求項１１】
2つの隣接するモジュール(24)は、2つの隣接する前記モジュールの一方の前記封止要素のうちの少なくとも1つを、2つの隣接する前記モジュールの他方の前記封止要素のうちの少なくとも1つと留め付けることで、互いに機械的に固定される、請求項1から10のいずれか一項に記載の係留装置。
【請求項１２】
2つの隣接するモジュールの2つのそれぞれの封止要素(28、30)の縁同士は、1つの結合部(56)によって少なくとも互いに留め付けられる、請求項1から11のいずれか一項に記載の係留装置。
【請求項１３】
複数の前記モジュールのそれぞれの前記封止要素に同時に受け入れられ、互いに固定された対応する前記モジュールの前記封止要素を維持する力を発揮する少なくとも1つのプレストレス要素(48)を備える、請求項1から12のいずれか一項に記載の係留装置。
【請求項１４】
2つの隣接するモジュールの2つのそれぞれの封止要素(28、30)の縁同士は、1つの結合部(56)によって少なくとも互いに留め付けられ、前記封止要素に受け入れられた少なくとも1つのプレストレス要素(48)が前記結合部(56)を通過する、請求項13に記載の係留装置。
【請求項１５】
浮遊構造体(10)を繋ぎ留めるための係留装置(12)を建設するための方法であって、
筒体(26)と、前記筒体の両端をそれぞれ封止する2つの封止要素(28、30)とを各々が備える複数のモジュール(24)の中空の円筒形の筒体およびそれぞれの封止要素をコンクリートからあらかじめ製作するステップと、
前記係留装置を形成するために、前記筒体および前記封止要素から、複数の前記モジュールの機械的に固定された組立体を形成するステップと、
前記係留装置を海底に配置するステップと
を含む方法。
【請求項１６】
前記係留装置(12)を海底(11)に配置するステップは、対応する前記モジュールの前記封止要素の曲げの度合いを所定の度合い未満に維持するように、前記海底への前記係留装置の降下の間、前記筒体への気体の注入によって、前記モジュールの少なくとも一部分の前記筒体(26)の内部容積(32)における圧力を調節することを含む、請求項15に記載の方法。
【請求項１７】
前記係留装置の前記モジュールの前記筒体(26)は、前記海底の所定位置に設定するために、少なくとも部分的に水で充填される、請求項16に記載の方法。
【請求項１８】
後に前記海底から前記係留装置を引き揚げることを含み、前記引き揚げることは、対応する前記モジュールの浮遊度を増加させるために、前記モジュールのうちの全部または一部の前記筒体から、前記筒体(26)が収容している水を少なくとも部分的に空にすることを含む、請求項17に記載の方法。
【発明の詳細な説明】
【技術分野】
【０００１】
本発明の分野は、浮遊構造体の繋ぎ留めに関し、具体的には、この目的のために使用される係留装置に関する。
【背景技術】
【０００２】
いくつかの方策が、例えば石油事業構造体または風力タービン式の電力生産構造体などの浮遊構造体を繋ぎ留めるために使用されている。
【０００３】
これらの方策のうちの1つは、海底にある1つまたはいくつかのサクションアンカを媒介としてこの海底に留め付けられるケーブルの使用に基づく。これらのサクションアンカは、典型的には、摩擦によって海底に繋ぎ留められる円筒形の管の形を有し、その管の設置は、地面と、管の天井部によって管の上方部分に画定される鐘部の内部との間に、吸引を適用することで実行される。
【０００４】
特定の構成では、具体的には、繋ぎ留められた構造体の平均的な鉛直方向高さがうねりの高さに応じて変化しないことが必要であるとき、保持ケーブルが、海底の高さに位置する繋ぎ留め位置と浮遊構造体との間に張られて使用される。
【０００５】
使用のためのこの種類の構成では、吸引による前述の繋ぎ留めの方策を使用することが常に可能とは限らず、または、このような方策は非常に高価となり得る。
【０００６】
そのため、海底の高さに配置される係留装置を浮遊構造体のためのアンカとして使用することが知られており、その場合、浮遊構造体は、保持力の鉛直方向成分については自身の重量の影響によって繋ぎ留められたままとなり、これらの保持力の水平方向成分については摩擦力および海底への接触の影響によって繋ぎ留められたままとなる。
【０００７】
作用する力のため、海底に取り付けられることなく留め付けられたままにするために、このような係留装置は、概して複雑で高価な設計を有する概して大規模な構造である。
【発明の概要】
【発明が解決しようとする課題】
【０００８】
本発明はこの状況を改善することを目的とする。
【課題を解決するための手段】
【０００９】
この趣旨で、本発明は、浮遊構造体を繋ぎ留めるために沈めることが可能な係留装置に関する。係留装置は、互いに機械的に固定されるいくつかのモジュールを備える。各々のモジュールは、
-  中空の円筒形の筒体と、
-  筒体の両端をそれぞれ封止することができる2つの封止要素と
を備え、
筒体および封止要素は、あらかじめ製作されたコンクリートから作られる。
【００１０】
本発明の態様によれば、各々のモジュールは、筒体の壁に延び、封止要素の一方および他方にそれぞれ繋ぎ留められる端を有する少なくとも1つのプレストレス要素をさらに備える。
【００１１】
本発明の態様によれば、各々のモジュールの少なくとも1つの封止要素は、係留装置の形成のために他の前記モジュールに留め付けられるように意図される少なくとも1つの境界面領域を有する。
【００１２】
本発明の態様によれば、各々のモジュールの少なくとも1つの封止要素は多角形の輪郭を有する。そのため、境界面領域は、少なくとも1つの封止要素の多角形の輪郭の縁のうちの1つに対応できる。
【００１３】
本発明の態様によれば、筒体は複数の重ねられた筒体分割部を備える。
【００１４】
本発明の態様によれば、各々の封止要素は、封止要素の平面と実質的に平行な封止要素の厚さに配置される少なくとも1つのプレストレス要素を受け入れる。
【００１５】
本発明の態様によれば、モジュールは、筒体への水の制御された充填に適するバラスト装置を備える。
【００１６】
本発明の態様によれば、各々のモジュールは、筒体によって画定される内部容積内で支配的な圧力を、内部容積への気体の注入によって調節するのに適する加圧装置を備える。
【００１７】
本発明の態様によれば、封止要素は、平面状の板の概してスラブの構成の形態を有する。
【００１８】
本発明の態様によれば、2つの隣接するモジュールは、2つの隣接するモジュールの一方の封止要素のうちの少なくとも1つを、2つの隣接するモジュールの他方の封止要素のうちの少なくとも1つと留め付けることで、互いに機械的に固定される。
【００１９】
本発明の態様によれば、2つの隣接するモジュールの2つのそれぞれの封止要素の縁同士は、1つの結合部によって少なくとも互いに留め付けられる。
【００２０】
本発明の態様によれば、係留装置は、複数の前記モジュールのそれぞれの封止要素に同時に受け入れられ、互いに固定された対応するモジュールの封止要素を維持する力を発揮する少なくとも1つのプレストレス要素を備える。
【００２１】
本発明の態様によれば、封止要素に受け入れられた少なくとも1つのプレストレス要素が前記結合部を通過する。
【００２２】
本発明は、浮遊構造体を繋ぎ留めるための係留装置を建設するための方法であって、
-  筒体と、筒体の両端をそれぞれ封止する2つの封止要素とを各々が備える複数のモジュールの中空の円筒形の筒体およびそれぞれの封止要素をコンクリートからあらかじめ製作するステップと、
-  係留装置を形成するために、筒体および封止要素から、複数の前記モジュールの機械的に固定された組立体を形成するステップと、
-  係留装置を海底に配置するステップと
を含む方法にさらに関する。
【００２３】
本発明の態様によれば、係留装置を海底に配置するステップは、対応するモジュールの封止要素の曲げの度合いを所定の度合い未満に維持するように、海底への係留装置の降下の間、筒体への気体の注入によって、モジュールの少なくとも一部分の筒体の容積における圧力を調節することを含む。
【００２４】
本発明の態様によれば、係留装置のモジュールの筒体は、海底の所定位置に設定するために、少なくとも部分的に水で充填される。
【００２５】
本発明の態様によれば、方法は、後に海底から係留装置を引き揚げることをさらに含み、前記引き揚げることは、対応するモジュールの浮遊度を増加させるために、モジュールのうちの全部または一部の筒体から、筒体が収容している水を少なくとも部分的に空にすることを含む。
【００２６】
本発明は、例としてのみ提供されるものであり、添付の図を参照して提供される以下の詳細な記載を読むとき、より良く理解される。
【図面の簡単な説明】
【００２７】
【図１】本発明による係留装置を用いて繋ぎ留められた浮遊構造体を示す図である。
【図２ａ】本発明による係留装置のモジュールの様々な図である。
【図２ｂ】本発明による係留装置のモジュールの様々な図である。
【図２ｃ】本発明による係留装置のモジュールの様々な図である。
【図３】本発明による係留装置の一部分の断面図である。
【図４】本発明による係留装置を形成するためのモジュールの組み立ての図である。
【図５ａ】本発明による様々な係留装置構成を示す図である。
【図５ｂ】本発明による様々な係留装置構成を示す図である。
【図５ｃ】本発明による様々な係留装置構成を示す図である。
【図５ｄ】本発明による様々な係留装置構成を示す図である。
【図５ｅ】本発明による様々な係留装置構成を示す図である。
【図５ｆ】本発明による様々な係留装置構成を示す図である。
【図６】本発明による係留装置を建設するための方法のステップを示す図である。
【発明を実施するための形態】
【００２８】
図1は、海底11の高さに配置された本発明による少なくとも1つの係留装置12を用いて海底11に繋ぎ留められた浮遊構造体10を示している。繋ぎ留めは、浮遊構造体10と係留装置12との間で延びる保持ケーブル14を介して実行されている。
【００２９】
本発明の枠組みにおいて、有利には、浮遊構造体10は、風から電力を生産するための設置物である。
【００３０】
浮遊構造体10は、浮遊基礎部16と、基礎部16に留め付けられた風力タービン18とを備える。
【００３１】
基礎部16は、例えば、知られている製造のものである。例えば、基礎部16は、一緒に連結された複数のフレームから形成される。基礎部16は、図1に示されているように、例えば沈められる。
【００３２】
風力タービン18は、基礎部16に留め付けられた支柱20と、支柱20によって支持され、風の影響下での回転によって電気を発生させるための回転翼が設けられたロータを備えるナセル22とを備える。
【００３３】
このような風力タービン構造が本発明の特権的な使用状況であるが、本発明は任意の種類の浮遊構造体10に適用されることが留意される。
【００３４】
保持ケーブル14は、例えば、知られている製造のものである。保持ケーブル14は構造体10と係留装置12との間で各々延びている。
【００３５】
有利には、本発明の文脈では、保持ケーブル14は、構造体10の基礎部16と、対応する係留装置12との間に張られ、有利には、所定の範囲でのうねりにまかせた構造体10の鉛直方向高さにおける変化を受け入れるような方法で張られる。この範囲は、例えば、浮遊構造体10に加わる1つまたは複数の応力によって許容可能な範囲を形成するように選択される。
【００３６】
各々の係留装置12は沈められることが意図されている。各々の係留装置12は、海底11において浮遊構造体10の不動の繋ぎ留めを形成するように構成されている。より明確には、各々の係留装置12は、その重量と、係留装置12と海底11との間で発揮される接触の摩擦との影響の下で不動のままとなるように構成されている。別の言い方をすれば、各々の係留装置12は、海底に置かれているだけであり、具体的には、摩擦の影響と、係留装置12と海底11との間の接触の影響とを結集するための大きさとされたその重量のため、留め付けられたままとなり、係留装置12によって取られる浮遊構造体10の力の影響の下で係留装置の変位を防止する。
【００３７】
各々の係留装置12は、本発明による複数のモジュールまたはケーソン24を備える。
【００３８】
係留装置12のモジュール24同士は互いと機械的に固定される。したがって、モジュール24同士は移動が固定されているが、係留装置12が変位させられる場合にはなおも変位させられる。
【００３９】
所与の係留装置12のモジュール24は係留装置12の主要な要素を合同で形成し、係留装置12は基本的に、それが含むモジュール24の一体の組立体として定められる。
【００４０】
図2aおよび図2bを参照すると、各々のモジュール24は、筒体26と、筒体26の端を封止するように構成される2つの封止要素28、30とを備える。
【００４１】
本発明の文脈では、筒体および封止要素28、30は、コンクリートから作られたあらかじめ製作された要素である。
【００４２】
それらを生産するために使用されるコンクリートは、水中で使用するのに適したものである。
【００４３】
筒体26は、円筒形で中空であり、容積32を内部で画定している。
【００４４】
筒体26は、その端の各々において、封止要素28、30の一方によって封止される。図の配向に従って、筒体に対して下方に位置する封止要素は符号28を有し、いわゆる下方封止要素28を形成しており、封止要素30はいわゆる上方基準封止要素30を形成している。
【００４５】
有利には、筒体26の円筒形は真っ直ぐである。
【００４６】
さらに、有利には、この構成では、筒体26は円形の断面である。この構成は、モジュールが水に浸されている間に周囲の静水圧に対する良好な耐性を提供するため、有利である。しかしながら、この円形は、断面が任意の大きさのものであり得るため、任意選択である。有利には、この断面は凸状である。所与の構成では、この断面は多角形である。
【００４７】
好ましくは、本発明の文脈において、筒体26は、少なくとも1つのプレストレス要素またはフレーム36を各々が受け入れる筒体26の壁に配置された1つまたはいくつかの導管34を備える。導管34は、筒体26の一方の長手方向の端から他方の端まで延びている。
【００４８】
導管34は、例えば、筒体26の長手方向軸の周りに規則的に分配される。
【００４９】
有利には、導管34は真っ直ぐである。導管34は筒体26の長手方向軸と平行に延びている。
【００５０】
代替で、それら導管34は、互いと平行で筒体の軸と平行な真っ直ぐな部分から形成される。これらの部分は、例えば、空間的にずれている、および/または、それらの間で平行でない。例えば、このような構成では、導管34は、連結部分によって2つずつ結合される。
【００５１】
プレストレス要素36は、筒体26を長手方向で圧縮するように構成されている。有利には、プレストレス要素36は、筒体26と封止要素28、30とを固定するときに少なくとも部分的に寄与するようにも構成されている。
【００５２】
プレストレス要素36は、例えばケーブルまたは棒材である。ケーブルは、例えば単一のストランドまたは複数のストランドといった任意の構造を有し、これらのストランドは標準的なワイヤであってもなくてもよいことは留意される。
【００５３】
各々のプレストレス要素36は、その端において封止要素28、30に有利に繋ぎ留められる。この構成のため、要素36は、筒体の要素28、30に接近しようとし、したがって、当該のモジュール24の要素を固定することに寄与する。
【００５４】
この目的のために、各々の封止要素は、各々の導管34について、対応する導管34を延ばす通路部分35と、通路部分35が開放する繋ぎ留め領域37とを備える。この繋ぎ留め領域37は、例えば、封止要素の外面の高さに配置され、例えば、この面自体に配置される凹部を備える。
【００５５】
有利には、各々の導管34は、対応するプレストレス要素36が受け入れられる鞘を受け入れる。この鞘は、例えば、導管34を形成するために筒体の製造のときに筒体26のコンクリートに埋め込まれる。
【００５６】
有利には、各々の導管34は、引っ張り要素36と、(適用可能な場合、鞘の)導管34の壁との間に空けられた空間を満たすために、引っ張り要素36の後に材料が注入される。
【００５７】
当該材料は、腐食に関して保護障壁を形成するように構成される。
【００５８】
第1の構成では、材料は、導管34に受け入れられた要素36と導管34の壁とに付着するように構成される。これは、要素36の存在から生じるプレストレス力の筒体への持続的な伝達を可能にする。
【００５９】
例えば、材料はセメントスラリである。
【００６０】
別の構成では、各々のプレストレス要素は、腐食に対して保護する材料で被覆され、個別に鞘状に覆われる。この場合、プレストレス要素はその力を、本質的にプレスト要素の端の繋ぎ留めを介して、筒体へと伝達する。具体的には、そのため、プレストレス要素36は導管34の壁に付着するように設けられない。
【００６１】
有利には、筒体26は、図2aおよび図2bに示されているように、筒体26を形成するために複数の重ねられた分割部38を含む。
【００６２】
各々の分割部38は、筒体の長手方向軸に対して、筒体26と同じ区域を伴う概して円筒形の構成を有する。
【００６３】
別の言い方をすれば、各々の分割部は、図に示されているように、筒体の鉛直部分に対応している。
【００６４】
導管34を伴う実施形態では、各々の分割部38は、各々の導管34について、当該の導管の一部分を含む。
【００６５】
これらの実施形態では、プレストレス要素36は、それらが発揮する筒体の長手方向の圧縮のため、分割部38を固定することに寄与する。
【００６６】
モジュールの寸法に関して、筒体26は、5mから20mの間の直径(または、概してその長手方向軸に対する横断方向での特徴的な寸法)を有する。
【００６７】
例えば、モジュール24は5mから20mの間の高さを有する。
【００６８】
さらに、筒体の壁の厚さは、例えば0.1mから1.0mの間である。
【００６９】
有利には、モジュールの寸法は、一方ではモジュール24の重量と内部容積との間の割合に応じて選択され、他方ではモジュールの幅と高さとの間の割合に応じて選択される。
【００７０】
これらの割合のうちの第1の割合は、モジュールの浮遊度の特徴を示す。第2の割合は、具体的には横転の意味で、係留装置12の安定性の特徴を示す。理想的にはこれらの応力の間で良好な妥協点を得ることが求められる。
【００７１】
有利には、筒体26の直径とモジュール24の高さとの間の割合は1に近い。筒体の壁の最適な厚さと封止要素の厚さとは、選択された直径および/または高さから容易に推定される。
【００７２】
係留装置12の異なるモジュールのそれぞれの寸法が、例えば実質的に同一に取られることは留意される。
【００７３】
図2aおよび図2bをなおも参照すると、上記で簡単に述べたように、封止要素28、30は筒体26を封止する。封止要素28、30は筒体26の底およびカバーをそれぞれ形成する。
【００７４】
本発明の枠組みにおいて、有利には、封止要素はスラブの形態を有する。「スラブ」という用語は、概して平面状の板の構成を伴う材料の塊を意味する。
【００７５】
この構成では、封止要素同士は好ましくは互いと平行である。
【００７６】
各々の封止要素28、30は第1の部分P1と第2の部分P2とを備える。これらの2つの部分は、好ましくは材料の一体品から作られる。
【００７７】
第1の部分P1は、対応する封止要素にその大まかな外観を提供する。
【００７８】
スラブについて、第1の部分P1は、一方の面が筒体から離れる方へ向けられ、反対の面が筒体の方に向けられる平面状の板の形を有する。
【００７９】
この部分P1は、有利には筒体26の軸と直交している。
【００８０】
部分P1の周辺は、第2の部分P2および筒体26に対して径方向で超えて延びている。
【００８１】
第1の部分P1および対応する封止要素は、大まかに言えば、輪郭Cを有する。この輪郭Cは、筒体に対する径方向のはみ出しをモジュール24に提供するように構成されている。
【００８２】
有利には、本発明の枠組みにおいて、輪郭Cは多角形である。例えば、輪郭Cは六角形または八角形である。
【００８３】
輪郭Cの構成の詳細は、以後において記載されているように、対応する係留装置12の構成と、モジュール24について選択された相対的な配置とに応じて選択される。
【００８４】
大まかに言えば、輪郭Cは縁Tを有する。これらの縁は、モジュール24から離れる方に向けられる。これらの縁は有利には鉛直である。別の言い方をすれば、これらの縁に垂直なベクトルは筒体26の軸と直交している。
【００８５】
各々の縁Tは、それと直径方向で反対にある少なくとも1つの縁を有する。2つの直径方向で反対の縁は互いと有利に平行である。
【００８６】
輪郭Cの縁のうちの少なくとも1つは、当該係留装置を定めるために、係留装置12内の隣接するモジュール24の輪郭Cの縁に固定されるように意図されている境界面領域を形成している。これは、以後においてより詳細に記載されている。
【００８７】
各々の縁Tは、有利には、概して長方形の形を有する。有利には、各々の縁は概して平面状の構成である。しかしながら、1つまたはいくつかの縁が、領域で、せん断キーが定められている部分と、この縁に固定されるように意図されている縁によって有される相補的な形を伴う部分とを含み得ることは留意されたい。
【００８８】
これは、例えば、下方封止要素28について該当する。
【００８９】
有利には、様々なモジュール24の様々な下方および/または上方の封止要素の様々な縁Tは、実質的に同一の大きさである。別の言い方をすれば、要素30の輪郭の縁Tは、有利には同じ大きさを有する。さらに、有利には同じことが要素28の縁にも当てはまる。
【００９０】
有利には、封止要素28、30は同一の形のそれぞれの輪郭を有する。しかしながら、これらの輪郭のそれぞれの寸法、具体的には半径は、異なってもよい。
【００９１】
さらに、それら輪郭の相対的な配向は、所与のモジュール24の封止要素28、30のそれぞれの輪郭Cが互いに対して旋回させられないような方法で構成されている。
【００９２】
別の言い方をすれば、モジュールの組み立てられた構成において、有利には、封止要素28、30は相似の輪郭を有する。
【００９３】
有利には、下方封止要素28は、上方封止要素30の寸法より若干大きい寸法を有する。これは、以後において記載されているように、上方封止要素の輪郭の縁のうちの1つまたはいくつかと、隣接するモジュール24のうちの1つまたはいくつかとの間で選択される寸法の結合部の存在を可能にする。
【００９４】
例えば、封止要素28と30との間でのはみ出しは、隣接するモジュールの上方封止要素30同士の間において結合部を所定位置で成型するために20cmの幅を配置するような方法では、約10cmである。
【００９５】
しかしながら、各々の封止要素の第2の部分P2は、筒体26の方に向けられた第1の部分P1の面から突出して延びている。
【００９６】
第2の部分P2は、筒体26の周辺において筒体26の上面に圧し掛かるように構成された縁40を備える。
【００９７】
特定の実施形態では、第2の部分P2はこの縁40によって形成される。別の言い方をすれば、第2の部分P2は他に何も含んでいない。
【００９８】
しかしながら、代替で、第2の部分P2は、縁40に対して内側へ延びる中央領域42を備える。この領域は、筒体と相補的である寸法を伴う外部縁を有するような方法で肩部44によって縁40から有利に分離される。したがって、この中央領域は、封止要素が筒体を封止するとき、内部容積32へと延び入る。
【００９９】
この構成では、この中央領域42は、筒体26と封止要素との相対的な滑りを防止する。
【０１００】
任意選択で、モジュール24に向かい合う封止要素の方に向けられた中央領域42の面は、その表面の全部または一部にわたって窪んだ平面状でない構成を有することは、留意されたい。
【０１０１】
第2の部分P2は任意選択であることは留意されたい。特定の構成では、当該の封止要素28、30はその部分P1のみによって形成される。
【０１０２】
図2cを参照すると、有利には、各々の封止要素28、30は、当該要素28、30の厚さにおいて、プレストレス要素またはフレーム48の受け入れのための少なくとも1つの導管46を備える。各々の導管46は、有利には、封止要素28、30の平面と平行に配置され、より明確には第1の部分P1の平面と平行に配置される。例えば、導管46は正確に第1の部分P1に配置される。
【０１０３】
有利には、各々の導管46は、封止要素の輪郭Cの縁を、反対にある輪郭Cの縁Tにつなげる。そのため、有利には、各々の導管46は、それが一方と他方とをつなげる縁同士に対して実質的に垂直である。
【０１０４】
有利には、各々の導管46は真っ直ぐである。
【０１０５】
しかしながら、代替で、導管46は、何らかの形の連結部分によって一体に結合される複数の真っ直ぐな分割部を備える。
【０１０６】
有利には、所与の封止要素28、30の輪郭Cの反対にある縁T同士の各々の対は、少なくとも1つの導管46と関連付けられる。
【０１０７】
導管46は、その数に応じて、封止要素の厚さと平行ないくつかの平面に従って配置され得る。
【０１０８】
各々のプレストレス要素48は、導管46のうちの1つに受け入れられ、対応する少なくとも1つの封止要素に圧縮力を発揮するように構成されている。
【０１０９】
本発明の文脈において、有利には、少なくとも1つのプレストレス要素48は、複数のモジュール24のそれぞれの封止要素28、30に同時に受け入れられ、対応する封止要素を、延いては、当該のモジュールを、互いと固定させたままにしようとする力を発揮する。別の言い方をすれば、図2cを参照すると、要素48の点線の部分は、係留装置12の少なくとも1つの隣接するモジュール24の封止要素の導管46に受け入れられ、図示されている当該モジュール24同士を互いに近づけようとする。有利には、プレストレス要素48のすべてがこの構成を有する。
【０１１０】
要素48が、下方封止要素28のみ、または、上方封止要素30のみに受け入れられることは、留意されたい。
【０１１１】
各々のプレストレス要素48は、有利には、その軌道にある隣接するモジュール24のセットのそれぞれの封止要素を通過する。別の言い方をすれば、3つのスラブを各々が通過する要素48を示す図5fに示されているように、係留装置12が、所与の方向に沿って並置されたN個のモジュール24を備える場合、この方向と平行に延びる各々のプレストレス要素48は、これらのN個のモジュールの封止要素に受け入れられる。したがって、プレストレス要素48は単独で係留装置12の一体の性質に寄与する。
【０１１２】
各々のプレストレス要素48は、有利には、それが通過する端のモジュールの封止要素の縁Tの高さでその端(図2cにおける点A1およびA2)において繋ぎ留められる。これらの要素48の繋ぎ留めは、例えば、当該の縁Tに配置されると共に繋ぎ留め領域37と同様の構成を有する領域47(図4)の高さにおいて、知られている手法で実行される。
【０１１３】
プレストレス要素48は、例えば棒材またはケーブルである。
【０１１４】
有利には、導管46は、例えば、プレストレス要素48をそれ自体が受け入れる鞘を各々受け入れる。この鞘は、例えばこの要素の製造の間、封止要素を形成するコンクリートに埋め込まれる。
【０１１５】
導管(適用可能な場合は鞘)は、有利には、導管36に関して、要素48を引っ張った後に保護材料で充填される。
【０１１６】
上記で簡単に述べたように、所与のモジュール24の筒体26および封止要素28、30は、少なくともプレストレス要素36によって固定された状態にされる。
【０１１７】
代替で、または、並行して、所与のモジュール24の筒体26および封止要素28、30は、これらの要素の間で境界面結合部39によっても固定された状態にされる。
【０１１８】
境界面結合部39は、例えばエポキシ接着剤から作られる。
【０１１９】
このような結合部は、対応する実施形態において、筒体の分割部38同士の間の境界面にも存在する。
【０１２０】
有利には、筒体26とスラブ28、30との間の境界面には、これらの要素の正確な相対的な位置決めを提供し、当該の要素の相対的な滑りを防止するように構成された少なくとも1つのせん断キー(図示せず)が各々設けられる。
【０１２１】
これらのキーのうちの少なくとも1つは、例えば、当該の境界面を定める要素のうちの1つおよび他のものによってそれぞれ有され、これらの要素のうちの1つおよび他のものを相対的に不動にするために互いと協働するように構成されるほぞおよびほぞ穴を有する。
【０１２２】
ここでも任意選択で、封止要素28、30と筒体26との間の少なくとも1つの境界面は封止要素49(図2c)を含む。封止要素はモジュール24のシールを定める。封止要素は、境界面(図2cにおけるスラブ30および筒体26)を封止するために、当該境界面を定める2つの要素の間で圧縮されるように意図された変形可能材料から作られた、例えば環体の形態を有する。有利には、封止要素は、溝に受け入れられ、そこから突出する。
【０１２３】
筒体26および封止要素28、30に加えて、少なくとも1つのモジュール24は、筒体26、つまり、内部容積32への水の制御された充填に適する装置50を任意選択で備える。有利には、装置50は、容積32から水を空にするのにも適する。
【０１２４】
装置50は、封止要素28、30の一方によって有され、有利には、下方封止要素28によって、または、例えば下方部分において筒体26によって有される。
【０１２５】
装置50は1つまたはいくつかの弁を有利に含む。装置50が容積32を空にするように適合されている構成では、装置50は、有利には、容積32からの水をこの容積32の外へと排出するように配置される液圧ポンプを備える。
【０１２６】
有利には、係留装置12の少なくとも一部のモジュール24について、これらのモジュールのそれぞれの装置50は、容積32の水の内容物の平衡のために、つまり、容積32において水が到達する高さの平衡のために、対応する内部容積32同士の間でそれら内部容積32同士を連通させるのに適している。
【０１２７】
有利には、この目的のために、対応する装置50は、容積32同士を互いに連通させるために、当該のモジュール24の下方封止要素28へと有利に挿入される1つまたはいくつかの連通通路51(図3)を含む。構成では、これらの通路は当該の筒体26同士を一緒に連結している。
【０１２８】
任意選択で、少なくとも1つのモジュール24は、固体のバラスト要素の容積32への挿入に適する装置52を備える。
【０１２９】
これらの要素は、モジュール24および係留装置12の乾燥質量を増加させるために設けられる。
【０１３０】
有利には、これらのバラスト要素は、例えば鋼鉄製造からの副産物など、粒または金属要素を備える。
【０１３１】
装置52は、例えば、上方封止要素30によって(全体または一部で)有される。
【０１３２】
好ましくは、装置52は、筒体26の内部容積32へのバラスト要素の挿入を可能にする使用のための構成にないとき、封止される。
【０１３３】
有利には、装置52はホッパを備える。
【０１３４】
有利には、各々のモジュール24がこのような装置52を備える。
【０１３５】
有利には、少なくとも1つのモジュール24は、気体を注入することで内部容積32内で支配的な圧力を調節するのに適する加圧装置53を備える。この加圧装置53は、例えば、気体を容積32へと注入するのに適する弁を備える。この弁は、例えば、筒体26の壁を貫いて、筒体26の上方部分に、または、上方封止要素30に配置される。
【０１３６】
加圧装置53によって受け入れられる気体は、例えば、圧縮機システムからのものである。
【０１３７】
加圧装置53がいくつかのこのような弁を含み得ることは、留意される。
【０１３８】
特定の実施形態では、図2cに示されているものなど、少なくとも一部のモジュールについて、隣接するモジュール24のそれぞれの加圧装置53同士は流体連通している。
【０１３９】
これは、気体をモジュールの外部から単一のモジュール24を介して注入することで、当該モジュール24の加圧を実行することを可能にする。さらに、これは、係留装置12の様々なモジュール24の容積32の間の圧力を平衡させることを可能にする。
【０１４０】
この連通は、例えば、2つのモジュール24の容積32を一緒に各々が連結する1つまたはいくつかの連通通路53C(図3)によって実施される。特定の連通通路は、例えば筒体同士の間で延びる。代替で、または、並行して、一部は、封止要素28、30へと、および、以後において記載されているモジュール同士の間の結合部56へと延びる。
【０１４１】
当該気体は、例えば圧縮空気である。
【０１４２】
加圧装置53が、関連する容積32から装置50を介して水を流出させるのに適しており、これは、容積32への気体の注入による過圧のため、容積32の水を空にさせることで行われることは、留意されている。
【０１４３】
ここでも有利には、少なくとも1つのモジュール24は、スラブ28、30を補強するのに適し、より正確には、筒体26を超えて延びる部分の高さにおいてスラブ28、30を補強するための少なくとも1つの補強要素55(図3)を備える。
【０１４４】
要素は、例えば、筒体を超えて延び、相対するスラブの方に向けられたスラブの部分に、筒体26を機械的に連結する1つまたはいくつかの補強の持ち送りの形態を有する。
【０１４５】
モジュール24は、例えば、筒体26の周りで規則的に離間される複数のこのような要素55を備える。
【０１４６】
図3を参照すると、係留装置12のモジュールのうちの少なくとも1つは、関連する補強ケーブル14との係留装置12の係合のための連結装置54を備える。
【０１４７】
連結装置54は、係留装置12に留め付けられる連結梁材を備える。この梁材は、有利には、隣接するモジュール24の封止要素のうちの1つまたはいくつかの封止要素に留め付けられる。
【０１４８】
有利には、梁材は上方封止要素30に留め付けられる。この梁材は、モジュール24の直径以下である長さまたは空間を有する。
【０１４９】
梁材の留め付けは、例えば、対応する封止要素におけるプレストレス要素36の繋ぎ留め領域37の高さに配置される留め付けを介して、任意の知られている手段によって実施される。
【０１５０】
連結装置54は、梁材に関節接合される保持ケーブル14の繋ぎ留め部材をさらに備える。繋ぎ留め部材は、ケーブルのための通路を備える。
【０１５１】
関節接合は、ケーブル14の角度に関するクリアランスを可能にする。
【０１５２】
有利には、各々の保持ケーブルの方位(局所的な水平面において考えられる)は、この組立体の横転に抗するトルクを増加させるように、係留装置12の最も大きな寸法と並べられる。
【０１５３】
さらに、有利には、係留装置12における連結装置54の位置は、保持ケーブル14の牽引の力によって引き起こされる横転のモーメントを最小限にするように選択され、つまり、係留装置の重心におけるこの力の距離を最小限とする。
【０１５４】
図4を参照すると、上記で簡単に述べたように、係留装置12のモジュール24同士は互いと機械的に固定される。この固定のため、係留装置12は一体であり、つまり、単一品の物体として作用する。
【０１５５】
本発明の文脈において、有利には、各々の係留装置12のモジュール24は、積み重ねられるのではなく並置させられる。別の言い方をすれば、モジュール24は、少なくとも複数の段の中の一部について互いの上にではなく、単一の段として配置される。
【０１５６】
有利には、モジュール24は、1つまたはいくつかの封止要素28、30を、当該隣接するモジュール24の1つの封止要素に、または、2つの封止要素のそれぞれに固定することだけによって、隣接するモジュール24と機械的に固定させられる。
【０１５７】
別の言い方をすれば、有利には、1つのモジュールの筒体は、他のモジュールに対応するモジュール24の固定に、間接的以外において関与させられず、この固定は、封止要素28、30の互いへの留め付けを介して実行される。
【０１５８】
より詳細な様態において、所与のモジュール24について、モジュール24は、少なくとも、その輪郭Cの縁Tを、隣接するモジュールの輪郭Cの縁に、結合部56(図2c、図3、および図4)によって留め付けることによって固定される。
【０１５９】
当該縁Tは、作用するモジュール24のそれぞれの境界面領域を形成し、その作用を介して、モジュール24は係留装置12の他のモジュール24に固定される。
【０１６０】
これらの縁Tは、有利には、互いに端から端まで留め付けられ、互いと平行である。
【０１６１】
結合部56は、例えば、エポキシ接着剤などの接着材料から実行される。この構成では、結合部56は、例えば、一方または両方の縁Tにおけるこの材料の被覆によって形成される。
【０１６２】
このような結合部は実質的にゼロの厚さを有する。
【０１６３】
任意選択で、このような結合部の実行は、いわゆる一時的なプレストレス要素によって引き起こされる圧縮力を招き、そのプレストレス要素は、プレストレス要素48を受け入れることが意図されている導管46に一時的に受け入れられ、これはいわゆる永久的なプレストレスを提供する。
【０１６４】
代替で、結合部56は現場での成型によって実行される。この構成では、結合部は、例えば急結モルタルなど、コンクリートまたはモルタルから実行される。この結合部の構成56は、空間が2つの縁Tの間に配置されている場合に有利に実施される。
【０１６５】
この種類の結合部はゼロでない厚さを有する。
【０１６６】
現場での成型は、例えば、知られている方法に従って実施され、例えば、追加の鉄筋コンクリートのフレームおよび型枠に代えて、凝結を伴う。
【０１６７】
結合部56の形成のために、モジュール同士は、有利には、知られている製造の保持装置によって互いに対して不動に維持される。
【０１６８】
有利には、所与のモジュール24について、2つの封止要素28、30は、このような結合部56を介して、少なくとも1つの隣接するモジュールの封止要素に各々固定される。
【０１６９】
さらに、有利には、2つの隣接するモジュールは、それらの下方封止要素28および上方封止要素30を介して固定される。
【０１７０】
別の言い方をすれば、2つの隣接するモジュール24の固定は、結合部56によって結合されたそれぞれの下方封止要素と同じように、こちらも結合部56によって結合された上方封止要素とを介して実行される。
【０１７１】
有利には、下方封止要素28は接着の種類の結合部56によって結合され、上方封止要素は現場での成型の結合部56によって結合される。
【０１７２】
しかしながら、逆の構成が検討されている。代替で、接着の結合部56だけの構成、または、現場での成型の結合部56だけの構成が使用される。
【０１７３】
したがって、図4の例では、第1の平面に位置されるモジュール24のスラブ30は、その縁Tのうちの2つによって、第1の隣接するモジュールの縁Tと、第2の隣接するモジュールの縁Tとに結合される。この構成は、好ましくは、接着される結合部56、または、現場で成型される結合部56で、下方スラブ28についても複製される。
【０１７４】
これらの結合部56の代替で、または、これらの結合部56と並行して、上記で簡単に述べたように、モジュール24同士の一緒の機械的結合は、有利にはプレストレス要素48のうちの全部または一部によって少なくとも部分的に提供され、そのためプレストレス要素48は、複数の封止要素に同時に受け入れられ、封止要素を固定したままにする力を発揮する。
【０１７５】
有利には、この構成は下方スラブ28および上方スラブ30に存在し、これは、有利には各々の係留装置12の可能な限り多くのモジュール24に存在する。
【０１７６】
好ましくは、プレストレス要素48は結合部56と一緒に使用され、これは、係留装置12の一体の性質を向上させ、モジュール24同士の互いに対する機械的な固定の経時的な耐性を向上させる。
【０１７７】
これらの実施形態では、結合部56を通過するプレストレス要素48によって引き起こされる圧縮力が、結合部56の耐性に実質的に寄与する。
【０１７８】
当該プレストレス要素48が図2cに示されているように結合部56を通過することも留意される。
【０１７９】
本発明による係留装置12の様々な構成の下方封止要素28を示す図5a〜図5fを参照すると、係留装置12内でのモジュール24の数および相対的な配置は適合させるのが容易であることが留意される。
【０１８０】
実際、輪郭Cの縁は、隣接するモジュールとの可能な境界面領域を形成して、各々のモジュールは、1つから輪郭Cの面の数の間で選択される数のモジュールに連結される。
【０１８１】
ここで、本発明による係留装置12を建設するための方法が、図を参照して記載され、具体的には,方法のステップを示す図6を参照する。
【０１８２】
大まかに言うと、本発明では、方法は、係留装置12をコンクリートから形成するように意図されているモジュール24の筒体26および封止要素28、30のあらかじめの製作と、それに続く、海底11に置かれる本発明の意味でモジュール24の一体の組み立てを得るような方法でのこれらの要素の組み立てとに基づく。
【０１８３】
より明確には、ステップS1の間、形成されるように意図される係留装置12の各々のモジュール24について、筒体26および封止要素28、30が製造される。
【０１８４】
筒体について、適用可能な場合には、分割部38が製造される。
【０１８５】
これらの様々な要素は、コンクリートから、好ましくは、鉄筋コンクリートから、あらかじめ製作される。
【０１８６】
その製造は、例えば、静的なフレームのセットまたはケージが配置される型枠におけるコンクリートの成型に基づく知られている技術を利用する。この集合体は、例えば、プレストレス導管34、46を定めるように意図されている鞘を備える。
【０１８７】
ステップS2の間、各々のモジュール24について、モジュール24の要素は、モジュールの使用の間にモジュールにとって望まれる相対的な配置を得るような方法で互いに対して相対的に配置され、モジュール24同士は、係留装置12の所望の構成において互いと接触して配置される。
【０１８８】
別の言い方をすれば、モジュール24をまだ留め付けていない状態で、各々のモジュールの要素は互いに付け加えられ、同じことがモジュールについて要素同士の間で実行される。得られた相対位置は、例えば知られている、所定位置に保持するための一時的な手段によって例えば維持される。
【０１８９】
このステップは、係留装置12が後の海底11への移動のために水中に置かれる領域に接近する際に、有利に実施される。この領域は、例えば、岸、ドック、または他の場所において形成される。
【０１９０】
ステップS3の間、モジュール24の封止要素28、30が互いに留め付けられる。
【０１９１】
このために、プレストレス要素48は、封止要素と関連する導管46へとプレストレス要素48を通し、封止要素同士が互いと締め付けられることになることによって、封止要素の水平方向のプレストレスを提供する所定位置で設定され、プレストレス要素48は、封止要素同士を互いに固定させたままにする所望のプレストレス構成において繋ぎ留められる。別の言い方をすれば、所望の締め付けがプレストレス要素48に適用され、プレストレス要素48は繋ぎ留められる。
【０１９２】
このステップの間、好ましくは、プレストレス要素48が、係留装置12が一体の物体を形成するような数および配置で使用される。例えば、各々の封止要素28、30は、それぞれ少なくとも1つの他の封止要素28、30の方向において、少なくとも1つのプレストレス要素48によって圧力が加えられる。
【０１９３】
さらに、結合部56は、前述したように、スラブ28、30の輪郭Cの縁T同士の間に形成される。
【０１９４】
ステップS4の間、モジュール24の要素が互いに留め付けられる。
【０１９５】
このために、結合部39が筒体26の分割部38同士の間に形成され、分割部は、筒体26と、関連する封止要素28、30との間に形成される。
【０１９６】
さらに、鉛直方向のプレストレス要素36が、モジュールの各々の所定位置に設定され、所望のプレストレス構成において繋ぎ留められる(つまり、所望の締め付けがモジュールに適用され、モジュールは繋ぎ留められる)。
【０１９７】
このステップの終わりにおいて、係留装置12への連結装置54が、対応するモジュールに付け加えられる。
【０１９８】
ステップS5の間、係留装置12は、水中に置かれ、定置される海底に一致する方向に移動させられる。有利には、上記で簡単に述べたように、ひとたび水中に置かれると、係留装置12は浮遊するように構成される。係留装置12の浮遊性は、具体的には係留装置の寸法に応じ、そのため、モジュールの数、筒体の直径、筒体の壁の厚さ、およびスラブの厚さに応じる。
【０１９９】
これは、海底11における係留装置12の定置する位置と一致する係留装置12の容易な牽引を可能にする。
【０２００】
有利には、係留装置12の移動のために、牽引の局面の間に係留装置12の安定性を増加させるために、補助的な浮遊装置が、浮遊する係留装置に付け加えられる。これらの浮遊具の使用は、有利には一時的である。別の言い方をすれば、それらの浮遊具は、後に記載されるように、海底11への係留装置12の降下のために係留装置12から分離される。
【０２０１】
有利には、これらの浮遊具は、係留装置12を水中に配置する前に係留装置12に付け加えられ、このようにしての水中での配置の間に係留装置12の安定性を増加させることに寄与する。
【０２０２】
任意選択のステップS6の間、バラスト要素が、対応する装置52を介して、1つまたはいくつかの筒体の容積32へと挿入される。有利には、これらの要素は筒体同士の間で(質量において)均一に分配される。
【０２０３】
ステップS7の間、見掛けの重量を係留装置12に提供するように、装置50を用いて筒体を水で少なくとも部分的にバラスト積みし、これは、係留装置12の降下/案内のために使用される装置によって有される重量を所定の値未満に維持する一方で、係留装置を完全に浸すことを可能する。
【０２０４】
この装置は例えばクレーンである。このクレーンは例えば船舶に載っている。
【０２０５】
ステップS8の間、係留装置12は、その降下をなおも案内しつつ、海底11へと下げられる。
【０２０６】
このステップは、上記の装置を介して実施される。
【０２０７】
有利には、この降下の間、水によってモジュール24へと発揮される静水圧の所定の割合が相殺され、その割合は、降下が加圧装置53を用いた筒体26の内部の気体圧力の増加によって生じるにつれて増加する。この割合は当該静水圧の20%から100%の間である。
【０２０８】
有利には、装置53は、様々なモジュール24の容積32を流体的に連通させ、これらの容積32において実質的に同一であるそれぞれの圧力を維持することを可能にする。
【０２０９】
より明確には、この相殺のために、筒体26の内部の圧力は、モジュール24の封止要素28、30の曲げの度合いを所定の度合い未満に維持するために、装置53を介して気体を当該の筒体へと注入することで、海底11への係留装置12の降下の間に調節される。
【０２１０】
任意選択で、この動作は、例えば一時的に筒体内の圧力を低下させるために、例えば装置53を介して内部容積32に含まれる気体の全部または一部を放出させることを含む。
【０２１１】
上記で簡単に述べたように、筒体の加圧は、少なくとも1つのモジュール24に連結される気体の外部発生源を使用する。この発生源は、例えば、水の表面の高さにあり、例えば船舶によって運ばれる。
【０２１２】
したがって、装置53は、可能性としては、この発生源に連結された筒体と、この発生源に連結されていない筒体との間の連通を介して、加圧された気体を容積32へと注入するために使用される。
【０２１３】
ステップS8の終わりに、係留装置12は、海底11に、その使用のための位置の高さに配置される。
【０２１４】
ステップS9の間、容積32は、バラスト装置50を介して全体が水中に配置される。
【０２１５】
この段階において、係留装置12は、使用のための構成にあり、構造体10の繋ぎ留めを形成するために構造体10に連結され得る。
【０２１６】
この目的のために、連結装置54は保持ケーブル14に連結される。
【０２１７】
代替で、この連結は、係留装置12を水中に配置する前に行われる。
【０２１８】
係留装置12の耐用期間の終わりに行われるステップS10の間、係留装置12は表面まで持ち上げられる。有利には、そのために、装置50を介して係留装置12の浮遊度を増加させるために、筒体26の容積32から、容積32が収容している水の全部または一部が空にされる。有利には、装置53を介したモジュール24の容積32内の圧力の調節は、ステップS8の間に行われる事と同様の方法で、同時に実施される。
【０２１９】
本発明は特に有利である。実際、本発明は、極めて順応性のある係留装置を得ることを可能にし、係留装置が作られる主要な要素のコンクリートの性質、あらかじめの製作、およびモジュール式であることにより、非常に低価格である。
【０２２０】
さらに、係留装置12の機械的な固定が主に封止要素28、30の互いへの留め付けに基づくことから、筒体は、支持のために寸法決定しなければならない力が小さくなるという点で、より柔軟な寸法となる。
【０２２１】
さらに、先の記載において、封止要素28、30はスラブであるとして記載した。しかしながら代替で、それらの構成、具体的には、それらの形は、任意の種類のものであり得る。例えば、部分P1は、湾曲した形を有し、有利には、筒体から離れる方に向けられた凸状を有する。
【符号の説明】
【０２２２】
10  浮遊構造体
11  海底
12  係留装置
14  保持ケーブル、補強ケーブル
16  浮遊基礎部
18  風力タービン
20  支柱
22  ナセル
24  モジュール、ケーソン
26  筒体
28  下方封止要素、スラブ
30  上方封止要素、スラブ
32  内部容積
34  導管
35  通路部分
36  フレーム、プレストレス要素、引っ張り要素
37  繋ぎ留め領域
38  分割部
39  結合部
40  縁
42  中央領域
44  肩部
46  導管
48  プレストレス要素、フレーム
49  封止要素
50  バラスト装置
51  連通通路
52  装置
53  加圧装置
53C  連通通路
54  連結装置
55  補強要素
56  結合部
A1、A2  プレストレス要素の端
C  輪郭
P1  第1の部分
P2  第2の部分
T  縁
【図１】
2020526444.tif 000003
【図２ａ】
2020526444.tif 000004
【図２ｂ】
2020526444.tif 000005
【図２ｃ】
2020526444.tif 000006
【図３】
2020526444.tif 000007
【図４】
2020526444.tif 000008
【図５ａ】
2020526444.tif 000009
【図５ｂ】
2020526444.tif 000010
【図５ｃ】
2020526444.tif 000011
【図５ｄ】
2020526444.tif 000012
【図５ｅ】
2020526444.tif 000013
【図５ｆ】
2020526444.tif 000014
【図６】
2020526444.tif 000015
【国際調査報告】
2020526444.tif 000016
2020526444.tif 000017
2020526444.tif 000018
2020526444.tif 000019
2020526444.tif 000020
2020526444.tif 000021